(57)【要約】【課題】藻類を十分に確保することができる藻食性の水産生物の増殖装置を提供する【解決手段】沈設型構造体１の上面に、沈設型構造体１の一端から他端までを連通する凹状の流通溝３を形成し、該流通溝３内に、流れ藻を捕捉する籠２が設ける。また、沈設型構造体１の表面に、藻類の着生を向上させるための凹凸６、７を形成する。流通溝３内の籠２に藻類を捕捉できると共に、沈設型構造体１の表面にも藻類が着生するので、大量の藻類を確保することができる。このように、アワビ等の餌となる藻類を大量に確保できるので、アワビ等の増殖効果を高めることができる。【選択図】図１
2005073539.tif 000002
【特許請求の範囲】
【請求項１】
沈設型構造体の上面に、沈設型構造体の一端から他端にかけて凹状の流通溝が形成され、該流通溝内に、流れ藻を捕捉する籠が設けられたことを特徴とする水産生物増殖装置。
【請求項２】
前記沈設型構造体の表面に、藻類の着生を向上させるための凹凸が形成されたことを特徴とする請求項１記載の水産生物増殖装置。
【請求項３】
前記籠は、入口の開口が出口の開口よりも大きいことを特徴とする請求項１又は２記載の水産生物増殖装置。
【請求項４】
前記籠は、鋼製であることを特徴とする請求項１〜３のいずれかに記載の水産生物増殖装置。
【請求項５】
前記沈設型構造体は、コンクリート製であることを特徴とする請求項１〜４のいずれかに記載の水産生物増殖装置。
【請求項６】
水産生物が、アワビであることを特徴とする請求項１〜５のいずれかに記載の水産生物増殖装置。
【発明の詳細な説明】
【技術分野】
【０００１】
本発明は、水産生物増殖装置に関する。
【背景技術】
【０００２】
アワビは、岩礁に着生した藻や流れ藻等の藻類を主な食料として生活している。そこで、従来のアワビの養殖事業は、コンクリートブロックを海底に沈め、これを人工礁として利用することにより行われていた。コンクリートブロックの表面に藻類が着生、生育することにより、アワビの飼料となる藻場が形成され、アワビが増殖する。（例えば、特許文献１）。
【０００３】
【特許文献１】特開平１１−２３９４２８
【発明の開示】
【発明が解決しようとする課題】
【０００４】
しかしながら、藻類がコンクリートブロック表面に着生、生育するまでに時間がかかり、また、着生できる量にも限界があるので、十分にアワビの飼料となる藻類を確保できず、上記の人工礁でのアワビの増殖効果は高いものではなかった。
【０００５】
そこで、本発明は、上記に鑑み、藻類を十分に確保することができる藻食性の水産生物の増殖装置の提供を目的とする。
【課題を解決するための手段】
【０００６】
上記目的を達成するため、本発明に係る水産生物増殖装置は、沈設型構造体の上面に、沈設型構造体の一端から他端にかけて凹状の流通溝が形成され、該流通溝内に、流れ藻を内部に捕捉する籠が設けられたものである。
【０００７】
このような本水産生物増殖装置を海底に設置すると、流通溝内に海流が流れ込み、それと共に海中を漂う流れ藻も流れ込む。そして、流通溝内に設けられた籠内に流れ藻が入り込むので、流れ藻を捕捉することができる。また、沈設型構造体の表面にも藻類が着生、生育することができる。したがって、本水産生物増殖装置は、籠に捕捉される藻類と、沈設型構造体の表面に着生する藻類との両方が存在するので、大量の藻類を確保することができる。
【０００８】
なお、流通溝の形状は限定されるものではないが、海流が流通溝を通り抜けることができるように、沈設型構造体を縦断又は横断して設ければよい。また、海流が通り抜けやすいように、略直線状とするのが好ましい。
【０００９】
また、本水産生物増殖装置は、流通溝の入口側を海流の上流側に向け、出口側を海流の下流側に向けて、流通溝が海流方向と平行になるように設置するのが好ましい。海流と共に流れ藻が流通溝を流れやすくなるので、流れ藻の捕捉量を高めることができるからである。
【００１０】
籠は、その壁に、例えばざるのように穴の開いたものであれば、形状等は限定されるものではない。また、限定されるものではないが、籠は、鋼製とされる。鋼製であれば、生産加工がしやすく、また、鉄の錆が藻の生育を早めるので、沈設型構造体や籠に着生する藻類にも良い影響を与えることができる。なお、籠の大きさは、限定されるものではないが、流通溝を通る多くの藻類を捕捉できるように、流通溝の幅方向及び深さ方向の略全域に渡って設けるのが好ましい。
【００１１】
籠は、入口の開口が出口の開口よりも大きいほうが好ましい。入口の開口は、藻類が通過できる程度の大きさであればよく、出口の開口は、藻類を流出させにくいが、水を流出可能な大きさとすればよい。これにより、流通溝を流れてくる流れ藻が籠の入口から中に入りやすく、また、籠の出口から流出しにくいので、流れ藻の捕捉能を高めることができる。さらに、籠内にアワビ等が侵入して藻類を食することができるように、アワビの侵入口を設けるのが好ましい。
【００１２】
沈設型構造体の表面に、藻類の着生を向上させるための凹凸が形成される。凹凸の大きさは、限定されるものではない。凹凸を形成することにより、本水産生物増殖装置を自然の岩礁やサンゴ礁の形態に近いものとすることができる。凹凸により、沈設型構造体の表面に藻類が着生しやすくなり、藻類の保持能を向上させることができる。
【００１３】
また、沈設型構造体は、限定されるものではないが、コンクリート製とされる。コンクリート製とすることにより、さらに、本水産生物増殖装置を自然の岩に近いものとすることができるので、より藻類の着生、生育効果やアワビの増殖効果を高めることができると考えられる。
【００１４】
本水産生物増殖装置を用いて増殖させる水産生物としては、アワビ、ウニ等が挙げられるが、藻食性のものであれば、これに限定されるものではない。
【発明の効果】
【００１５】
以上の説明から明らかな通り、本発明に係る水産生物増殖装置によると、流通溝内の籠で藻類を捕捉することができると共に、沈設型構造体の表面にも藻類が着生するので、本水産生物増殖装置は大量の藻類を確保することができる。したがって、その大量の藻類がアワビ等にとって十分な量の飼料となるので、アワビ等の増殖効果を高めることができる。このようにアワビが大量に増殖している本水産生物増殖装置上では、鉤捕り漁法（船上から鉤の付いた竿によりアワビを引っ掛けて採捕する方法）で容易にアワビを捕獲することができる。
【発明を実施するための最良の形態】
【００１６】
以下、本発明の実施形態を図面に基づいて説明する。図１は本実施形態の水産生物増殖装置の斜視図、図２は図１のＡ−Ａ断面図、図３は同じく平面図、図４は同じく入口側から見た図、図５は図３の籠を取り除いた状態を示すＢ−Ｂ矢視図、図６は図３の籠を取り除いた状態を示すＣ−Ｃ矢視図、図７は図３のＤ−Ｄ断面図、図８は図３のＥ−Ｅ断面図、図９は籠の斜視図、図１０は他の実施形態の水産生物増殖装置の斜視図である。
【００１７】
水産生物増殖装置は、図１に示すように、沈設型構造体１と、沈設型構造体１に設置された籠２とから構成される。
【００１８】
沈設型構造体１は、コンクリート製とされ、底辺が八角形で、山型状に形成される。沈設型構造体１の上面には、一辺からその対角線上の他辺にかけて凹状の流通溝３が形成される。流通溝３の中央部４には、図２及び図６に示すように、凹状の段部５が形成される。流通溝３は、該中央部４から両端に向って下り傾斜している。なお、沈設型構造体は、沈設可能なものであれば、その形状は特に限定されるものではないが、上記のように山型状に形成すれば、海底での設置の安定性があると共に、自然の岩礁やサンゴ礁に似せることができるので、よりアワビ等の生息環境に適したものとできると考えられる。
【００１９】
沈設型構造体１の流通溝３以外の表面は、図３に示すように、６つの区画に分けられ、さらにそれぞれの区画の面は異方向に面している。６つの区画とは、流通溝３の中央部と隣接した両隣りの２つの区画と、それにより分けられた４つの区画である。流通溝３の中央部４と隣接した両隣りの２つの区画の表面には、図１、図３及び図８に示すように、沈設型構造体の高さ方向に向かう縦溝６が形成される。他の４つの区画のうちの、対角線上にある２つの区画の表面には、図１、図３及び図７に示すように、沈設型構造体の高さ方向と直行する方向に向かう横溝７が複数形成される。最後の２つの区画の表面は、何も溝を形成しない平らな面８とされる。
【００２０】
このように、種々の方向に向かう溝（凹凸）を複数形成し、かつ、平面の部分を残すなどして複雑な他面構造とすることにより、自然に存在する岩礁等のような複雑な構造に似せることができる。なお、縦溝６、横溝７及び平面８の位置は上記に限定されるものではないが、上記のようにそれぞれ同じものが隣り合わせにならないように設定すれば、さらに表面を複雑な構造にすることができるので好ましい。
【００２１】
沈設型構造体１の表面の上方に、４つのＵ字状の吊金具９が固定される。さらにまた、沈設型構造体１の内部には、コンクリートのクラックを防止するために、鉄筋が３次元的に張り巡らされている。
【００２２】
籠２は、図２に示すように、流通溝３の中央部４の縁に設置された鋼板１０の上に固定される。籠２及び鋼板１０の固定方法は、溶接、固着等種々の方法をとってよい。籠２は、図９に示すように、鋼製で断面Ｌ字状の骨材を溶接により組み合わせて、６面体の骨格を形成し、その一部の面に、鉄筋の金網１１が固定されて成る。籠２の一の側面が入口２ａとされ、入口２ａと対向する面が出口２ｂとされる。
【００２３】
籠２の高さは、籠２の上端と沈設型構造体１の上端とが面一となるように、流通溝３の溝深さと略同一に設定される。これにより、籠２が沈設型構造体１より飛び出さないので、籠２及び水産生物増殖装置全体として受ける海流や波等による横方向の圧力が大きくならない。したがって、籠２の沈設型構造体１への設置安定性及び水産生物増殖装置の海底での設置安定性を高めることができる。また、籠２が沈設型構造体１から飛び出していないので、籠２内がアワビの良い隠れ場となるので、外敵からアワビを守ることができ、増殖効果を高めることができる。
【００２４】
また、籠２の幅方向の長さは、流通溝３の幅と略同一とされ、籠２の入口２ａ及び出口２ｂ以外の側面は、流通溝３の側壁３ａにより略全体が覆われる。したがって、籠２は、流通溝３を流れる流れ藻のほとんどを捕捉することができる。
【００２５】
金網１１は、６面体の骨格の入口２ａ、出口２ｂ及び上面２ｃに設けられるが、図１０に示すように、入口２ａには金網１１を設けない形態としてもよいし、または、６面のすべてに設ける形態としても構わない。籠２の入口２ａ及び出口２ｂ以外の側面は、流通溝３の側壁３ａにより略全体が覆われているが、中央部４に隣接する両隣の沈設型構造体１の区画には縦溝６が形成され、その縦溝６により籠２の上方が開口するので、ここからアワビが籠２内に侵入し、籠２内の藻類を食べることができる。
【００２６】
金網１１は、縦に配される鉄筋と、横に配される鉄筋とが互いに交差し、交差部分が溶接されて成る。入口２ａの金網１１の網目は、出口２ｂ及び上面２ｃの金網１１の網目よりも大きく設定される。これにより、入口２ａから流れ藻が流入しやすいが、出口２ｂ及び上面２ｃから流れ藻が流出しにくいので、流れ藻を大量に捕捉することができる。詳しくは、入口２ａの金網１１の目合は、流れ藻の流入のしやすさの観点から、１００ｍｍ以上とするのが好ましい。また、出口２ｂ及び上面２ｃの金網１１の目合は、流れ藻を流出させにくくするために、５０ｍｍ以下とするのが好ましい。なお、本実施形態においては、出口２ｂ及び上面２ｃの金網１１の目合を入口２ａの金網１１の目合よりも小さくする方法として、出口２ｂ及び上面２ｃにおいては、２枚の金網１１を相互にずらして重ね合わせたものを用いている。入口２ａ、出口２ｂ及び上面２ｃのすべての金網として、同一の金網を用いることができるのでコスト等の面からも好ましい。
【００２７】
また、籠２の内部には、棒体１２が立設されている。棒体１２は、鋼製とされ、流通溝３の段部にドリルで複数の孔を開け、その孔に接着剤で固定されている。なお、棒体１２の形状は、単純な棒形状のものであってもよいし、さらに流れ藻を捕捉しやすくするために、先端を鉤状に折曲させたり、枝分かれさせたりするなど、種々の形状をとってもよい。
【００２８】
上記のように構成された水産生物増殖装置は、吊金具９にロープ等を引っ掛けて、海底まで下ろして沈設する。沈設する際、流通溝３の入口側（すなわち、籠２の入口２ａ側と同方向側）を海流の上流側に向け、流通溝の出口側（すなわち、籠２の出口２ｂ側と同方向側）を海流の下流側に向けて、海流と流通溝３とが略平行となるように設置する。これにより、流通溝３に海流及び流れ藻が流れ込みやすくなる。
【００２９】
そして、海流と共に流れ込んだ流れ藻は、籠２の入口２ａから籠２内に流入し、その流入した流れ藻は、籠２の出口２ｂの目合が小さいので、籠２の内部に留まる。したがって、籠２内に流れ藻を捕捉することができる。また、籠２の内部には、棒１２体が立設されているので、棒体１２に流れ藻がからまり、さらに流れ藻の捕捉能を高めることができる。さらにまた、沈設型構造体１の表面には、縦溝６、横溝７などの凹凸と、平面８とが形成された他面構造となっており、この面に藻類が着生、生育することができる。
【００３０】
以上のように、本水性生物増殖装置は、沈設型構造体１表面による藻類の着生、生育による藻類の確保の他に、籠２及び棒体１２による流れ藻の捕捉ができるので、大量の藻類を確保することができる。したがって、アワビが沈設型構造体の表面に着生、生育した藻類を食べ尽くしたとしても、籠２内に捕捉される藻類を食べていくことができる。このように、アワビの飼料が豊富に存在するので、アワビにとってよい生育環境を形成することができ、高い増殖効果を得ることができる。また、沈設型構造体が自然の岩礁やサンゴ礁と似た構造をとっているので、アワビの成育環境をより自然に近いものとでき、アワビの増殖効果を高めることが期待できると考えられる。
【図面の簡単な説明】
【００３１】
【図１】本実施形態の水産生物増殖装置の斜視図
【図２】図１のＡ−Ａ断面図
【図３】同じく平面図
【図４】同じく入口側から見た図
【図５】図３の籠を取り除いた状態を示すＢ−Ｂ矢視図
【図６】図３の籠を取り除いた状態を示すＣ−Ｃ矢視図
【図７】図３のＤ−Ｄ断面図
【図８】図３のＥ−Ｅ断面図
【図９】籠の斜視図
【図１０】他の実施形態の水産生物増殖装置の斜視図
【符号の説明】
【００３２】
１    沈設型構造体
２    籠
２ａ  入口
２ｂ  出口
２ｃ  上面
３    流通溝
４    中央部
５    段部
６    縦溝
７    横溝
８    平面
１１  金網
１２  棒体
【図１】
2005073539.tif 000003
【図２】
2005073539.tif 000004
【図３】
2005073539.tif 000005
【図４】
2005073539.tif 000006
【図５】
2005073539.tif 000007
【図６】
2005073539.tif 000008
【図７】
2005073539.tif 000009
【図８】
2005073539.tif 000010
【図９】
2005073539.tif 000011
【図１０】
2005073539.tif 000012